(57)【要約】【課題】  所望の画像を撮影するための撮影条件の設定値情報を容易に得ることができる画像処理装置を提供する。【解決手段】  記憶部に記憶されている画像及び記録媒体に記録されている画像の少なくとも一方を取得する取得部と、前記取得部により取得された前記画像において、所定条件を満たしていない当該画像に関する要素を抽出する抽出部と、前記抽出部により抽出された前記要素に基づく前記画像の撮影状態に関する情報、及び該要素が前記所定条件を満たすための撮影条件の設定値情報の少なくとも一方を表示する表示部とを備える。【選択図】  図１
2011139398.tif 000002
【特許請求の範囲】
【請求項１】
記憶部に記憶されている画像及び記録媒体に記録されている画像の少なくとも一方を取得する取得部と、
前記取得部により取得された前記画像において、所定条件を満たしていない当該画像に関する要素を抽出する抽出部と、
前記抽出部により抽出された前記要素に基づく前記画像の撮影状態に関する情報、及び該要素が前記所定条件を満たすための撮影条件の設定値情報の少なくとも一方を表示する表示部と、
を備えることを特徴とする画像処理装置。
【請求項２】
前記抽出部により前記所定条件を満たしていない要素が複数抽出された場合に、該抽出された各要素毎に当該所定条件からの乖離度を求め、当該各乖離度に基づいて各要素の優先順位を決定する決定部を備え、
前記表示部は、前記決定された前記優先順位に基づいて、前期各要素の前記情報が表示される表示態様を制御することを特徴とする請求項１に記載の画像処理装置。
【請求項３】
前記決定部は、前記抽出された複数の要素のうち、前記乖離度が大きい要素ほど前記優先順位を高く決定し、
前記表示部は、前記優先順位の高い前記要素ほど、前記表示部での表示位置を表示画面内の上位位置に表示することを特徴とする請求項２に記載の画像処理装置。
【請求項４】
前記表示部は、
前記抽出された要素のうち、前記所定条件を満たすために変更可能な設定値が存在しない場合には、その旨を表示することを特徴とする請求項１〜３のうちの何れか一項記載の画像処理装置。
【請求項５】
前記表示部は、
前記抽出された要素のうち、前記所定条件を満たすために変更可能な設定値が存在しない場合には、当該要素の設定値変更以外の手法によって当該所定条件を満たす手法を表示することを特徴とする請求項１〜４の何れか一項に記載の画像処理装置。
【請求項６】
前記表示部は、
前記抽出された要素の値が前記所定条件を満たす設定値に変更された場合に、当該変更に連動して変更すべき他の要素の有無、及びその変更すべき要素の設定値の少なくとも一方を表示することを特徴とする請求項１〜５のうちの何れか一項に記載の画像処理装置。
【請求項７】
当該各要素の各設定値が過去に変更された回数を記録する記録部を備え、
前記表示部は、前記決定部により決定された優先順位が同じ要素が複数あった場合には、前記記録部に記録されている前記回数に基づいて、前記各要素の前記情報の表示態様を制御することを特徴とする請求項２または３に記載の画像処理装置。
【請求項８】
前記抽出部により前記所定条件を満たしていない要素が複数抽出された場合において、
当該各要素の各設定値が過去に変更された回数を記録する記録部を備え、
前記表示部は、前記記録部に記録されている前記回数に基づいて、前記各要素の前記情報の表示態様を制御することを特徴とする請求項１に記載の画像処理装置。
【請求項９】
前記表示部は、前記抽出部で抽出されなかった要素に関しても、前記画像の撮影状態に関する情報、及び当該要素の変更可能な設定値情報の少なくとも一方を表示可能であることを特徴とする請求項１〜８の何れか一項に記載の画像解析装置。
【請求項１０】
前記表示部は、前記画像上に、前記少なくとも一方の情報をスーパーインポーズ表示することを特徴とする請求項１〜９の何れか一項に記載の画像処理装置。
【請求項１１】
前記要素は、前記画像を撮像する際のＩＳＯ感度、シャッタースピード、絞り値、ホワイトバランス、階調値、レンズの焦点距離、及び被写体に対する撮影用照明光の発光の有無の少なくとも１つであることを特徴とする請求項１〜１０の何れか一項に記載の画像処理装置。
【請求項１２】
表示部を備えると共に、記憶部に記憶されている画像及び記録媒体に記録されている画像の少なくとも一方を処理する画像処理装置に適用されるプログラムであって、
前記画像を取得させる工程と、
前記取得された前記画像において、所定条件を満たしていない当該画像に関する要素を抽出させる工程と、
前記抽出された前記要素に基づく前記画像の撮影状態に関する情報、及び該要素が前記所定条件を満たすための撮影条件の設定値情報の少なくとも一方を、前記表示部に表示させる工程と、
を備えることを特徴とする画像処理プログラム。
【発明の詳細な説明】
【技術分野】
【０００１】
本発明は、画像の表示処理を行う画像処理装置及び画像処理プログラムに関するものである。
【背景技術】
【０００２】
ヘルプモードを選択した場合において、メモリに記憶されたマニュアルデータに基づいて表示部に現在の状態における操作説明、例えば、分割撮影時にヘルプモードを選択した場合には分割撮影時に使用するチェックボックスの使い方の項目を、日時設定時にヘルプモードを選択した場合には日時設定時に使用するスピンボックスの使い方の説明文をマニュアルデータから抽出し、表示部に表示するデジタルカメラが提案されている（例えば、特許文献１参照）。
【先行技術文献】
【特許文献】
【０００３】
【特許文献１】特開２００４−１２８８２０号公報
【発明の概要】
【発明が解決しようとする課題】
【０００４】
ところで、上述の特許文献１記載のデジタルカメラでは、ヘルプモード（ガイドモード）において操作説明等を表示部に表示することにより、初心者は、そのデジタルカメラの操作方法について理解し、操作することができるようになる。しかしながら、所望の画像を撮影するために実際に設定すべき項目や設定値等を知らないため、操作することができたとしても何を操作すればよいのかわからない場合があった。例えば、ノイズの少ない画像を撮影するためにはＩＳＯ感度を低くする必要があること等を知らないため、ＩＳＯ感度の値を変更する操作ができたとしても、ノイズの少ない画像を撮影するために何を設定すればよいのかわからず、ＩＳＯ感度の値を変更する操作に至らない場合があった。
【０００５】
本発明の目的は、所望の画像を撮影するための撮影条件の設定値情報を容易に得ることができる画像処理装置及び画像処理プログラムを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の画像処理装置は、記憶部に記憶されている画像及び記録媒体（８）に記録されている画像の少なくとも一方を取得する取得部（４）と、前記取得部（４）により取得された前記画像において、所定条件を満たしていない当該画像に関する要素を抽出する抽出部（４）と、前記抽出部（４）により抽出された前記要素に基づく前記画像の撮影状態に関する情報、及び該要素が前記所定条件を満たすための撮影条件の設定値情報の少なくとも一方を表示する表示部（１０）とを備えることを特徴とする。
【０００８】
また、本発明の画像処理プログラムは、表示部を備えると共に、記憶部に記憶されている画像及び記録媒体に記録されている画像の少なくとも一方を処理する画像処理装置に適用されるプログラムであって、前記画像を取得させる工程と、前記取得された前記画像において、所定条件を満たしていない当該画像に関する要素を抽出させる工程と、前記抽出された前記要素に基づく前記画像の撮影状態に関する情報、及び該要素が前記所定条件を満たすための撮影条件の設定値情報の少なくとも一方を、前記表示部に表示させる工程とを備えることを特徴とする。
【発明の効果】
【０００９】
本発明の画像処理装置及び画像処理プログラムによれば、所望の画像を撮影するための撮影条件の設定値情報を容易に得ることができる。
【図面の簡単な説明】
【００１０】
【図１】実施の形態に係るカメラのシステム構成を示すブロック図である。
【図２】実施の形態に係る表示部の表示例を示す図である。
【図３】実施の形態に係るカメラにおいてヘルプモードに移行した際の動作について説明するためのフローチャートである。
【図４】実施の形態に係る表示部の表示例を示す図である。
【図５】実施の形態に係る表示部の表示例を示す図である。
【図６】実施の形態に係る表示部の表示例を示す図である。
【図７】実施の形態に係る表示部の表示例を示す図である。
【図８】実施の形態に係る表示部の表示例を示す図である。
【図９】表示部の他の表示例を示す図である。
【発明を実施するための形態】
【００１１】
以下、図面を参照して、本発明の実施の形態に係る画像処理装置としてのカメラについて説明する。図１は、実施の形態に係るカメラ２のシステム構成を示すブロック図である。図１に示すように、カメラ２は、制御部４、撮像素子６、記録媒体８、表示部１０、記録部１２、操作部１４を備えて構成されている。
【００１２】
制御部４は、ＣＰＵ等により構成され、図示しないメモリ等から画像処理プログラムを読み込んで実行し、カメラ２の各部を統括的に制御する。この実施の形態では、表示部１０に表示されている表示画像に関して所定条件を満たしていない要素を抽出し、抽出された要素に基づいて記録部１２に記録されている画像の問題点及びその問題点の解決法の中から表示画像の問題点及びその問題点の解決法を読出し、表示部１０に表示する。なお、所定条件を満たしていない画像に関する要素、画像の問題点及びその問題点の解決法については後述する。
【００１３】
撮像素子６は、ＣＣＤまたはＣＭＯＳ等により構成され、図示しない撮影レンズを透過した被写体からの被写体光を撮像する。記録媒体８は、カメラ２に設けられた記録媒体差込口（図示せず）に着脱可能に装着される可搬性を有する記録媒体である。記録媒体８には、撮像素子６から出力された撮像信号に基づき生成された画像が撮影日時、絞り値、シャッタースピード等、その他画像に関する情報と共に記録されている。
【００１４】
表示部１０は、撮像素子６から出力された撮像信号に基づくスルー画像、バッファメモリ（図示せず）等に一時的に記憶されている画像、記録媒体８に記録されている画像、記録媒体８に記録されている画像に関する情報、及び表示部１０に表示されている表示画像の問題点等を表示する。記録部１２は、画像の撮像状態に関する情報（後述する）や画像に関する要素が所定条件を満たすための撮影条件の設定値情報（後述する）、即ち画像の問題点及びその問題点の解決法に関する情報、及び画像に関する要素の設定値が過去に変更された回数等を記憶する。操作部１４は、カメラ２の電源をオンオフする電源スイッチ（図示せず）、撮影等を指示するシャッターボタン（図示せず）、メニュー項目等の選択やカーソルを移動させるための十字操作キー（図示せず）、各種選択項目に対する選択確定操作を行うためのＯＫ（決定）ボタン（図示せず）等を含んで構成されている。
【００１５】
この実施の形態に係るカメラ２では、ヘルプモードへ移行すると、表示部１０に表示されている表示画像（例えば図２に示すような表示画像２０）に関して所定条件を満たしていない要素（例えば、ＩＳＯ感度やシャッタースピード等）を抽出し、抽出された要素に基づいて記録部１２に記録されている画像の問題点（例えば、ノイズ、色、ボケ等）、及びその問題点の解決法（例えば、ＩＳＯ感度やシャッタースピード等）の中から表示画像２０の問題点及びその問題点の解決法を読出し、表示部１０に表示することにより、表示画像２０の問題点及びこの問題点の解決するための最適な撮影条件の設定値をユーザーに対して提案することができる。
【００１６】
例えば、表示画像２０のノイズについては、制御部４は、表示画像２０のシーン認識を行い、かつ表示画像２０を撮像した際のＩＳＯ感度を取得する。シーン認識の結果、表示画像２０が人物を被写体とした画像であると判明し、かつ取得したＩＳＯ感度が例えば４００以上である場合には、制御部４は、表示画像２０においてシーン認識に対するＩＳＯ感度が所定条件を満たしていない要素であり、ＩＳＯ感度が所定条件を満たしていないため表示画像２０に多くのノイズがあると判別する。また、シーン認識の結果、表示画像２０が風景画像であると判明し、かつ取得したＩＳＯ感度が例えば１６００より小さい場合には、制御部４は、表示画像２０においてシーン認識に対するＩＳＯ感度が所定条件を満たす要素であり、表示画像２０にノイズは少ないと判別する。即ち、人物を被写体とする画像のように主観的にノイズが気になるシーンの画像の場合には、ノイズが多いと判別されるＩＳＯ感度の閾値を低く設定し、風景画像のように主観的にノイズが気にならないシーンの画像の場合には、ノイズが多いと判別されるＩＳＯ感度の閾値を高く設定する。そして、表示画像２０に多くのノイズがあると判別した場合には、制御部４は、「ノイズが気になる。ノイズを減らすには？」等の表示画像２０の撮影状態に関する情報、即ち表示画像２０の問題点（記録部１２に記録されている）を表示部１０に表示する。そして、ユーザーによりこの問題点が選択された場合には、撮影条件の設定値情報、即ちＩＳＯ感度を低減させるという解決法（記録部１２に記録されている）を表示部１０に表示する。
【００１７】
また、表示画像２０の色については、制御部４は、表示画像２０の色温度、例えば表示画像２０を撮像した際のホワイトバランスを取得する。そして、制御部４は、表示画像２０を撮像する際にオートホワイトバランスを選択していたならば自動的に設定されるホワイトバランスに基づく色温度（以下、ＡＷＢ色温度という）と、表示画像２０を撮像した際の実際のホワイトバランスに基づく色温度（以下、ＷＢ色温度という）との差を算出する。算出された差が閾値を超えている場合には、制御部４は、表示画像２０においてホワイトバランスが所定条件を満たしていない要素であり、ホワイトバランスが所定条件を満たしていないため表示画像２０の色が異常であると判別する。そして、「実際の見た目と色が違う。どうすれば？」等の表示画像２０の問題点を表示部１０に表示し、ユーザーによりこの問題点が選択された場合には、ホワイトバランスをオートホワイトバランスに設定するという解決法を表示部１０に表示する。
【００１８】
また、表示画像２０のボケ（被写体像ブレによる画像のブレ現象）については、制御部４は、被写体の動体認識を行い、かつ表示画像２０を撮像した際のシャッタースピードを取得する。動体認識の結果、被写体に動きがあると判明し、かつ取得したシャッタースピードが閾値以下であった場合には、制御部４は、表示画像２０においてシャッタースピードが所定条件を満たしていない要素であり、シャッタースピードが所定条件を満たしていないため表示画像２０に多くのボケがあると判別する。そして、表示画像２０に多くのボケ（画像ブレ）があると判別した場合には、制御部４は、「ボケ（画像ブレ）が気になる。ボケをなくすには？」等の表示画像２０の問題点を表示部１０に表示し、ユーザーによりこの問題点が選択された場合には、シャッタースピードを速くするという解決法を表示部１０に表示する。
【００１９】
また、表示画像２０のブレ（手ブレによる画像のブレ現象）については、制御部４は、表示画像２０を撮像した際のシャッタースピードを取得し、かつ図示しない撮影レンズに設置されている手ブレ補正機構等から手ブレ量を取得する。取得した手ブレ量が閾値を超えており、かつシャッタ−スピードが閾値以下であった場合には、制御部４は、表示画像２０においてシャッタースピードが所定条件を満たしていない要素であり、シャッタースピードが所定条件を満たしていないため表示画像２０に多くのブレがあると判別する。そして、表示画像２０に多くのブレがあると判別した場合には、制御部４は、「画像のブレが気になる。ブレをなくすには？」等の表示画像２０の問題点を表示部１０に表示し、ユーザーによりこの問題点が選択された場合には、シャッタースピードを速くするという解決法を表示部１０に表示する。なお、表示画像２０にボケやブレの有無については、表示画像２０の空間周波数やコントラスト値の算出結果に基づいて判別してもよい。
【００２０】
また、表示画像２０のシーン認識を行った結果、表示画像２０が人物を被写体とした画像である場合において、表示画像２０内の人物の顔の暗さについては、制御部４は、表示画像２０の顔認識を行い、かつ表示画像２０のコントラスト値を取得する。そして、顔認識による認識された顔領域のコントラスト値と、顔領域以外の領域のコントラスト値との差を算出する。算出された差が閾値を超えている場合には、制御部４は、表示画像２０において階調値が所定条件を満たしていない要素であり、階調値が所定条件を満たしていないため表示画像２０内の人物の顔が暗いと判別する。そして、表示画像２０内の人物の顔が暗いと判別した場合には、制御部４は、「顔が暗くて黒くつぶれている。どうすれば？」等の表示画像２０の問題点を表示部１０に表示し、ユーザーによりこの問題点が選択された場合には、撮影済み画像に対する画像処理として表示画像２０の階調値を補正処理するという解決法を表示部１０に表示する。
【００２１】
また、取り直しができる状況であれば、「顔優先露出モード（顔部分の露出が適正露出になるように撮影するモード）という解決法を表示部１０に表示してユーザに推奨したり、あるいは「測光エリアを顔部分に合わせた上で撮影して下さい」という解決法を表示部１０に表示する。
【００２２】
また、ユーザーが背景をぼかした画像を撮影することを所望する場合、例えば「背景をぼかしたい。どうすれば？」等の問題点を表示部１０に表示し、ユーザーがこの問題点を選択した場合には、制御部４は、絞り値や図示しない撮影レンズの焦点距離を取得する。そして、表示画像２０の被写界深度を浅くするために、絞りを開放するという解決法や焦点距離を長くするという解決法を表示部１０に表示する。一方、ユーザーが立体感（奥行き感）のある画像を撮影することを所望する場合、例えば「立体感のある画像を撮影したい。どうすれば？」等の問題点を表示部１０に表示し、ユーザーがこの問題点を選択した場合には、制御部４は、絞り値や図示しない撮影レンズの焦点距離を取得する。そして、表示画像２０の被写界深度を深くするために、絞りを絞るという解決法や焦点距離を短くするという解決法を表示部１０に表示する。
【００２３】
また、表示画像２０の被写体に対する撮影用照明光の発光の有無を取得し、表示画像２０において撮影用照明光の発光の有無が所定条件を満たしていない要素であり、撮影用照明光の発光の有無が所定条件を満たしていないため表示画像２０全体の色に問題があると判別する。そして、制御部４は、撮影用照明光を発光させる、または発光させないという解決法を表示部１０に表示する。上述のように、制御部４は、表示画像２０において所定条件を満たしていない要素を抽出し、抽出された要素に基づく表示画像２０の撮影状態に関する情報、及び抽出された要素が所定条件を満たすための撮影条件の設定値情報を表示部１０に表示する。
【００２４】
以下、図３に示すフローチャートを参照して、この実施の形態に係るカメラ２においてヘルプモードに移行した際の動作について説明する。
【００２５】
まず、制御部４は、図２に示すように、ユーザーによる撮影直後、撮影した画像（以下、表示画像という）２０を表示部１０に表示する（ステップＳ１０）。次に、制御部４は、表示画像２０が表示部１０に表示されている間、ユーザーにより十字操作キーの上下ボタンが操作されたか否かを判別する（ステップＳ１１）。ステップＳ１１において上下ボタンが操作されたと判別された場合には（ステップＳ１１、Ｙｅｓ）、制御部４は、例えば図４に示すように、表示部１０に表示されている表示画像２０上に、ヘルプモードに移行するための説明（図４では、「ＯＫボタンを押すとヘルプ（Ｑ＆Ａ）モードへ移行します」）２２を表示する（ステップＳ１２）。
【００２６】
次に、制御部４は、ユーザーによりＯＫボタンが押下されたか否かを判別する（ステップＳ１３）。ステップＳ１３においてＯＫボタンが押下されたと判別された場合には（ステップＳ１３、Ｙｅｓ）、制御部４は、表示部１０に表示されている表示画像２０において、所定条件を満たしていない要素（上述したようなＩＳＯ感度、シャッタースピード、絞り値等）を抽出する。そして、抽出された要素に基づく表示画像２０の撮影状態に関する情報、即ち、上述したようなノイズ、色、ボケ等に関する問題点を記録部１２から読出し、例えば図５に示すように、表示部１０に表示されている表示画像２０上に、記録部１２から読み出した問題点２４ａ〜２４ｄを表示する（ステップＳ１４）。
【００２７】
なお、記録部１２から読み出した問題点が更に存在する場合（問題点２４ａ〜２４ｄ以外の問題点が存在する場合）には、図５に示す「次へ」アイコン２６を十字操作キー等を用いて選択し、ＯＫボタンを押下することにより、表示部１０に表示されている表示画像２０上に問題点２４ａ〜２４ｄ以外の問題点が表示される。記録部１２から読み出した問題点がこれ以上存在しない場合（問題点２４ａ〜２４ｄのみであった場合）には、図５に示す「次へ」アイコン２６は表示されない。また、図５に示す「画像へ戻る」アイコン２８が十字操作キー等を用いて選択され、ＯＫボタンが押下されると、制御部４は、ヘルプモードを解除する。そして、問題点２４ａ〜２４ｄ、及びアイコン２６，２８，３０の表示を中止し、表示画像２０のみを表示部１０に表示する。また、ユーザーが考える問題点が所定条件を満たしていない要素に基づき読み出された問題点（２４ａ〜２４ｄ等）の中に存在しない場合には、ユーザーは、図５に示す「その他で困っている」アイコン３０を選択する。
【００２８】
次に、制御部４は、ユーザーにより「その他で困っている」アイコン３０が選択され、ＯＫボタンが押下されたか否かを判別する（ステップＳ１５）。ステップＳ１５において「その他で困っている」アイコン３０が選択された場合には（ステップＳ１５、Ｙｅｓ）、制御部４は、記録部１２に記録されているすべての問題点を読み出す。即ち、抽出された要素に基づく問題点だけでなく、抽出されなかった要素に基づく問題点も読み出す。そして、例えば図６に示すように、表示部１０に表示されている表示画像２０上に、読み出したすべての問題点を表示可能なＱ＆Ａ群３２を表示する（ステップＳ１６）。
【００２９】
Ｑ＆Ａ群３２内の左側に記載の項目（図６では、「ノイズ」、「色」、「ボケ」、「よくある質問」）の何れかがユーザーにより選択されると、選択された項目に関連するすべての問題点がＱ＆Ａ群３２内の右側に表示される。例えば図６では、「色」の項目が選択されており、Ｑ＆Ａ群３２内の右側に、「色」の項目に関連するすべての問題点「実際の見た目と色が違う。どうすれば？」「顔が暗くて黒くつぶれている。どうすれば？」が表示されている。同様に、「ノイズ」の項目が選択されると、「ノイズが気になる。ノイズを減らすには？」等の「ノイズ」の項目に関連するすべての問題点が、「ボケ」の項目が選択されると、「ボケが気になる。ボケをなくすには？」等の「ボケ」の項目に関連するすべての問題点が、Ｑ＆Ａ群３２内の右側に表示される。
【００３０】
「よくある質問」の項目は、例えば図７に示すように、「ノイズ」や「色」等に関係なく、一般的に初心者により選択される回数の多い問題点を集めた項目である。なお、カメラ２のユーザーにより過去に選択された回数の多い問題点を集めた項目、例えば「あなたの良くある質問」等の項目を、「よくある質問」の代わりに、または追加して設けることもできる。即ち、ユーザーにより過去に設定値が変更された回数の多い要素に対応する問題点を集めた項目を設ける。なお、各要素の各設定値が過去に変更された回数は、記録部１２に記録されており、変更された回数の多い各要素の各設定値に対応する問題点から順に、予め設定された数の問題点が表示される。
【００３１】
また、Ｑ＆Ａ群３２に表示される問題点は、記録部１２に記録されているすべての問題点であって、表示画像２０において所定条件を満たしていない要素に基づく問題点のみではない。したがって、カメラ２が表示画像２０の撮影状態について問題はないと判別したが、ユーザーが主観的に表示画像２０の撮影状態について問題があると判断した問題点を選択することもできる。
【００３２】
次に、制御部４は、ユーザーにより表示部１０（Ｑ＆Ａ群３２）に表示されている問題点の何れかが選択されたか否かを判別する（ステップＳ１７）。ステップＳ１７においていずれかの問題点が選択された場合には（ステップＳ１７、Ｙｅｓ）、制御部４は、その選択された問題点に対する解決法があるか否かを判別する（ステップＳ１８）。即ち、カメラ２が表示画像２０の撮影状態について問題はないと判別したが、ユーザーが主観的に表示画像２０の撮影状態について問題があると判断した問題点を、ユーザーが選択した場合には、その問題点に対する解決法が存在しない場合がある。具体的に、カメラ２は表示画像２０についてノイズの問題はないと判別したが、ユーザーが「ノイズが気になる。ノイズを減らすには？」という問題点を選択した場合を例に挙げて説明する。ノイズを減少させるためにはＩＳＯ感度を低減させる必要があるが、表示画像２０が人物を被写体とした画像であり、ＩＳＯ感度１００で撮影したものであったとき、ＩＳＯ感度を１００より小さく設定できない場合等、ＩＳＯ感度をこれ以上低減させることができない場合がある。このように、所定条件を満たすために変更可能な設定値が存在しない場合には、制御部４は、ユーザーが選択した「ノイズが気になる。ノイズを減らすには？」という問題点に対する解決法がないと判別する。
【００３３】
ステップＳ１８において解決法があると判別された場合（ステップＳ１８、Ｙｅｓ）には、制御部４は、表示部１０に表示されている表示画像２０上に、例えば図８に示すように、ステップＳ１７において選択された問題点に対する解決法を示す画面３４を表示する（ステップＳ１９）。同様に、ステップＳ１５において「その他で困っている」アイコン３０が選択されていない場合（ステップＳ１５、Ｙｅｓ）であって、問題点２４ａ〜２４ｄの何れかが選択された場合には、選択された問題点に対する解決法を示す画面３４を表示する（ステップＳ１９）。なお、画面３４には、「ノイズが気になる。ノイズを減らすには？」という問題点に対する解決法が示されている。
【００３４】
なお、カメラ２は表示画像２０についてボケの問題はないと判別したが、ユーザーが「ボケが気になる。ボケをなくすには？」という問題点を選択したとき、シャッタースピードが設定可能範囲の最速に設定されている場合等、ボケを減少させるためにシャッタースピードを更に速く設定することができない場合、即ち所定条件を満たすために変更可能な設定値が存在しない場合がある。この場合、ステップＳ１８において問題点に対する解決法がないと判別することもできるが、例えばＩＳＯ感度を高くする、または三脚を用いて撮影する等の、シャッタースピードを速くすること以外の手法（他の解決法）がある場合には、選択された問題点に対する解決法があると判別することもできる。そして、ステップＳ１９において他の解決法を示す画面を表示部１０に表示することもできる。
【００３５】
また、画面３４には、ノイズを減らすためにＩＳＯ感度を低くする解決法のみが示されているが、ＩＳＯ感度を低くして撮影したとき、ＩＳＯ感度を低くしたことによる問題、例えば表示画像２０と比較してブレや暗さが増大するといった問題が発生する場合がある。したがって、画面３４内に、またはＯＫボタンが押下された後に表示されるＩＳＯ感度設定画面内に、ＩＳＯ感度の設定値変更に連動して変更すべき他の要素（この場合はシャッタースピード）の有無、及びその変更すべき要素の設定値の少なくとも一方を表示することもできる。例えば、連動して変更すべきシャッタースピードの文字または記号等の点滅表示、「シャッタースピードを上げないと同じ明るさで撮影できません。」等のメッセージ表示等を行い、ユーザーの注意を喚起する。
【００３６】
一方、ステップＳ１８において解決法がないと判別された場合（ステップＳ１８、Ｎｏ）には、制御部４は、表示部１０に表示されている表示画像２０上に、解決法がない旨を表示する（ステップＳ２０）。即ち、ユーザーが主観的に表示画像２０の撮影状態についてノイズがあると判断した場合に、ノイズを低減させるためにＩＳＯ感度を低減させる必要があるが、最も低いＩＳＯ感度に設定されている等、変更可能な設定値が存在しないときは、その旨を示すメッセージ等を表示する。
【００３７】
なお、図５、図６、図７等に示すように、所定条件を満たしていない要素が複数抽出され、複数の問題点が表示される場合に、制御部４は、各要素毎に所定条件からの乖離度（閾値との差）を求め、各要素の乖離度に基づいて各要素の優先順位を決定し、決定された優先順位に基づいて各要素に対応する問題点の表示部１０に表示する表示態様、例えば順番を制御する。具体的には、乖離度が大きい要素ほど優先順位を高く決定し、優先順位の高い要素ほど、表示部１０での表示位置を表示画面内の上位位置に表示する。例えば図５では、ＩＳＯ感度について表示画像２０での設定値と閾値との差である乖離度が、シャッタースピード等の他の要素より大きいため、ＩＳＯ感度の優先順位が高く、ＩＳＯ感度に対応するノイズの問題点が表示部１０の表示画面内の上位位置に表示されている。
【００３８】
また、乖離度が同等である要素、即ち優先順位が同じ要素が複数存在した場合には、それら要素の設定値がユーザーにより過去に変更された回数に基づいて、問題点の表示態様を制御する。具体的には、要素の設定値がユーザーにより過去に変更された回数の多い順に、それら要素に対応する問題点を表示部１０に表示する。または、それら要素に対応する問題点を五十音順、記録部１２に記憶されている順に表示してもよい。また、優先順位の高い要素に対応する問題点を、表示部１０の表示画面内の上位位置でなく、表示画面中央部に他の問題点よりも大きく表示するようにしてもよい。
【００３９】
この実施の形態に係るカメラによれば、ユーザーは実際に撮影した画像の問題点を指摘することができ、その問題点に対する解決法を容易に得ることができる。即ち、所望の画像を撮影するための解決法、例えば何をどの値に設定すべきかを知ることができ、所望の画像を容易に撮影することができる。
【００４０】
なお、上述の実施の形態においては、表示部１０に表示されている表示画像２０、即ち、撮影直後の画像の撮影状態に関する情報及び撮影条件の設定値情報を表示部１０に表示しているが、表示部１０に表示可能な他の画像、例えば、記録媒体８に記録されている画像が表示部１０に再生表示されている場合、バッファメモリに一時的に記憶されている画像が表示部１０に表示されている場合には、その画像の撮影状態に関する情報及び撮影条件の設定値情報を表示部１０に表示することもできる。また、スルー画像についても、ＩＳＯ感度、被写界深度やシーン認識等の抽出可能な要素に基づくスルー画像の撮影状態に関する情報及び撮影条件の設定値情報を表示部１０に表示することもできる。
【００４１】
また、上述の実施の形態においては、所定条件を満たしていない要素が複数抽出された場合に、各要素の乖離度に基づいて各要素の優先順位を決定しているが、各要素の設定値がユーザーにより過去に変更された回数に基づいて各要素の優先順位を決定してもよい。
【００４２】
また、上述の実施の形態においては、表示画像２０の撮影状態に関する情報及び撮影条件の設定値情報を表示部１０に表示しているが、表示画像２０の撮影状態に関する情報のみを表示部１０に表示する構成にしてもよく、表示画像２０の撮影条件の設定値情報を表示部１０に表示する構成にしてもよい。
【００４３】
また、上述の実施の形態においては、図５〜図８に示すように、表示画像２０上に、表示画像２０を視認不可能な状態でアイコンやＱ＆Ａ群等が表示されているが、例えば図９に示すように、アイコン等を表示画像２０上にスーパーインポーズ表示、即ち表示画像２０を視認可能な状態で表示させることもできる。この場合には、表示画像２０を視認しつつ、問題点等を選択することができる。
【００４４】
また、上述の実施の形態においては、画像処理装置としてカメラを例に挙げて説明したが、画像を表示するための表示部、表示部に表示されている画像において所定条件を満たしていない要素を抽出可能な抽出部及び画像の問題点や解決法に関する情報を記憶する記録部を備えた他の画像処理装置、例えばパーソナルコンピュータ等にも本発明を適用することができる。
【００４５】
また、上述の実施の形態においては、制御部４が図示しないメモリ等からカメラ２に画像処理を実施させる画像処理プログラムを読み込んで実行している。即ち、上述の実施の形態で用いられている画像処理プログラムは、カメラ２に、表示画像２０を取得させる工程と、取得された表示画像２０において、所定条件を満たしていない表示画像２０に関する要素を抽出させる工程と、抽出された要素に基づく表示画像２０の撮影状態に関する情報、及び該要素が所定条件を満たすための撮影条件の設定値情報の少なくとも一方を、表示部１０に表示させる工程とを実行せしめている。したがって、上述の実施の形態で用いられている画像処理プログラムによれば、所望の画像を撮影するための撮影条件の設定値情報を容易に得ることができる。
【００４６】
また、上述の実施の形態においては、カメラ２に設けられているメモリ等に記憶されている画像処理プログラムを読み込んで実行しているが、上述の実施の形態で用いられる画像処理プログラムを記録した可搬性を有する記録媒体から、画像処理プログラムを読み込んで実行することもできる。
【符号の説明】
【００４７】
２…カメラ、４…制御部、６…撮像素子、８…記録媒体、１０…表示部、１２…記録部、１４…操作部。
【図１】
2011139398.tif 000003
【図２】
2011139398.tif 000004
【図３】
2011139398.tif 000005
【図４】
2011139398.tif 000006
【図５】
2011139398.tif 000007
【図６】
2011139398.tif 000008
【図７】
2011139398.tif 000009
【図８】
2011139398.tif 000010
【図９】
2011139398.tif 000011